(57)【特許請求の範囲】
【請求項１】
基板と、
前記基板に接合されるチップと、
前記基板に形成され、前記チップに電気的に接続されるアンテナ配線と、
前記基板に設けられ、前記チップを覆って保護するプロテクタとを含み、
前記プロテクタは、材料の曲げ強度をσｂｙとし、厚さをｈとし、長さをlとし、使用環境下で受ける等分布荷重をｐとしたとき、以下の特性を有し、
l≦ｌｍａｘ
【数１１】
0006531609.tif 000012
前記プロテクタは、前記アンテナ配線上に設けられる第１部位と、前記第１部位に接続され、前記アンテナ配線から第１方向に離れた第２部位と、前記第１部位及び前記第２部位を連結する連結部位と、を含み、
前記第１部位は、前記チップを覆い、
前記プロテクタの長さlは、前記第１方向に垂直な第２方向に沿った前記第１部位の長さであり、
前記第２方向に沿った前記第２部位の長さは、前記第２方向に沿った前記第１部位の長さよりも長く、且つ、前記ｌｍａｘ以下であり、
前記第２方向に沿った前記連結部位の長さは、前記第２方向に沿った前記第１部位の長さよりも小さい、ＲＦＩＤタグ。
【請求項２】
基板と、
前記基板の第１側に接合されるチップと、
前記基板に形成され、前記チップに電気的に接続されるアンテナ配線と、
前記基板の前記第１側に設けられ、前記チップを覆って保護するプロテクタと、
前記基板の、前記第１側とは逆側の第２側に設けられ、前記プロテクタに対向する第２プロテクタとを含み、
前記プロテクタは、材料の曲げ強度をσｂｙとし、厚さをｈとし、長さをlとし、使用環境下で受ける等分布荷重をｐとしたとき、以下の特性を有し、
l≦ｌｍａｘ
【数１２】
0006531609.tif 000013
前記プロテクタは、前記アンテナ配線上に設けられる第１部位と、前記第１部位に接続され、前記アンテナ配線から第１方向に離れた第２部位と、前記第１部位及び前記第２部位を連結する連結部位と、を含み、
前記第１部位は、前記チップを覆い、
前記プロテクタの長さlは、前記第１方向に垂直な第２方向に沿った前記第１部位の長さであり、
前記第２方向に沿った前記第２部位の長さは、前記第２方向に沿った前記第１部位の長さよりも長く、且つ、前記ｌｍａｘ以下であり、
前記第２方向に沿った前記連結部位の長さは、前記第２方向に沿った前記第１部位の長さよりも小さい、ＲＦＩＤタグ。
【請求項３】
基板と、
前記基板に接合されるチップと、
前記基板に形成され、前記チップに電気的に接続されるアンテナ配線と、
前記基板に設けられ、前記チップを覆って保護するプロテクタとを含み、
前記プロテクタは、材料の曲げ強度をσｂｙとし、厚さをｈとし、長さをlとし、使用環境下で受ける等分布荷重をｐとしたとき、以下の特性を有し、
l≦ｌｍａｘ
【数１１】
0006531609.tif 000014
前記プロテクタは、前記チップを覆う第１部位と、前記第１部位に第１方向に連結され、前記アンテナ配線上に設けられる連結部位と、を含み、
前記プロテクタの長さlは、前記第１方向に垂直な第２方向に沿った前記第１部位の長さであり、
前記第２方向に沿った前記連結部位の長さは、前記第２方向に沿った前記第１部位の長さよりも小さい、ＲＦＩＤタグ。
【請求項４】
基板と、
前記基板の第１側に接合されるチップと、
前記基板に形成され、前記チップに電気的に接続されるアンテナ配線と、
前記基板の前記第１側に設けられ、前記チップを覆って保護するプロテクタと、
前記基板の、前記第１側とは逆側の第２側に設けられ、前記プロテクタに対向する第２プロテクタとを含み、
前記プロテクタは、材料の曲げ強度をσｂｙとし、厚さをｈとし、長さをlとし、使用環境下で受ける等分布荷重をｐとしたとき、以下の特性を有し、
l≦ｌｍａｘ
【数１２】
0006531609.tif 000015
前記プロテクタは、前記チップを覆う第１部位と、前記第１部位に第１方向に連結され、前記アンテナ配線上に設けられる連結部位と、を含み、
前記プロテクタの長さlは、前記第１方向に垂直な第２方向に沿った前記第１部位の長さであり、
前記第２方向に沿った前記連結部位の長さは、前記第２方向に沿った前記第１部位の長さよりも小さい、ＲＦＩＤタグ。
【請求項５】
前記プロテクタの長さlは、前記基板の長手方向に沿った長さである、請求項１ないし請求項４のいずれか１項に記載のＲＦＩＤタグ。
【請求項６】
前記プロテクタの長さlは、前記チップの長手方向に沿った長さである、請求項１ないし請求項４のいずれか１項に記載のＲＦＩＤタグ。
【請求項７】
前記アンテナ配線は、前記第２方向のそれぞれの側から、前記第１部位の縁部を跨ぐ、請求項１または請求項２に記載のＲＦＩＤタグ。
【発明の詳細な説明】
【技術分野】
【０００１】
本開示は、ＲＦＩＤ（Radio Frequency Identification）タグに関する。
【背景技術】
【０００２】
電子回路チップを可撓性のあるシートに装着する方法が知られている（例えば、特許文献１、２参照）。
【先行技術文献】
【特許文献】
【０００３】
【特許文献１】ＷＯ００／３３２４９号パンフレット
【特許文献２】特開２００９−２７７２５５号公報
【発明の概要】
【発明が解決しようとする課題】
【０００４】
従来のＲＦＩＤタグは、ＩＣ（Integrated Circuit）チップを覆って保護するプロテクタを備えるが、使用環境下でプロテクタが塑性変形して曲がり、ＩＣチップを保護するプロテクタの保護機能が損なわれやすいという問題があった。
【０００５】
そこで、１つの側面では、本発明は、使用環境下でプロテクタが塑性変形して曲がり難いＲＦＩＤタグの提供を目的とする。
【課題を解決するための手段】
【０００６】
一局面によれば、基板と、
前記基板に接合されるチップと、
前記基板に形成され、前記チップに電気的に接続されるアンテナ配線と、
前記基板に設けられ、前記チップを覆って保護するプロテクタとを含み、
前記プロテクタは、材料の曲げ強度をσｂｙとし、厚さをｈとし、長さをlとし、使用環境下で受ける等分布荷重をｐとしたとき、以下の特性を有し、
l≦ｌｍａｘ（ｌｍａｘは、数１１で規定）、
前記プロテクタは、前記アンテナ配線上に設けられる第１部位と、前記第１部位に接続され、前記アンテナ配線から第１方向に離れた第２部位と、前記第１部位及び前記第２部位を連結する連結部位とを含み、
前記第１部位は、前記チップを覆い、
前記プロテクタの長さlは、前記第１方向に垂直な第２方向に沿った前記第１部位の長さであり、
前記第２方向に沿った前記第２部位の長さは、前記第２方向に沿った前記第１部位の長さよりも長く、且つ、前記ｌｍａｘ以下であり、
前記第２方向に沿った前記連結部位の長さは、前記第２方向に沿った前記第１部位の長さよりも小さい、ＲＦＩＤタグが提供される。
【発明の効果】
【０００７】
使用環境下でプロテクタが塑性変形して曲がり難いＲＦＩＤタグが得られる。
【図面の簡単な説明】
【０００８】
【図１】実施例１によるＲＦＩＤタグを概略的に示す上面図である。
【図２】図１のラインＡ−Ａに沿った概略的な断面図である。
【図３】図１のＸ１部の拡大した斜視図である。
【図４】図１のＸ２部の拡大した上面図である。
【図５】プロテクタに等分布荷重が付与された状態のモデルを示す斜視図である。
【図６】プロテクタに等分布荷重が付与された状態のモデルを示す側面図である。
【図７】実施例２によるプロテクタを概略的に示す上面図である。
【図８】実施例２によるプロテクタに等分布荷重が付与された状態のモデルを示す上面図である。
【図９】実施例３によるプロテクタを概略的に示す上面図である。
【図１０】実施例３によるプロテクタに等分布荷重が付与された状態のモデルを示す上面図である。
【図１１】実施例４によるプロテクタを概略的に示す上面図である。
【図１２】実施例４によるプロテクタに等分布荷重が付与された状態のモデルを示す上面図である
【図１３】実施例５によるプロテクタを概略的に示す上面図である。
【図１４】実施例５によるプロテクタに等分布荷重が付与された状態のモデルを示す上面図である
【図１５】クラックの説明図である。
【図１６】実施例６によるＲＦＩＤタグの概略的な断面図である。
【図１７】実施例７によるプロテクタを概略的に示す上面図である。
【図１８】実施例８によるプロテクタを概略的に示す上面図である。
【図１９】実施例９によるプロテクタを概略的に示す上面図である。
【図２０】実施例１０によるプロテクタを概略的に示す上面図である。
【図２１】実施例１１によるＲＦＩＤタグを概略的に示す上面図である。
【図２２】図２１のＸ３部の拡大した上面図である。
【発明を実施するための形態】
【０００９】
以下、添付図面を参照しながら各実施例について詳細に説明する。
【００１０】
［実施例１］
図１は、実施例１によるＲＦＩＤタグを概略的に示す上面図である。図２は、図１のラインＡ−Ａに沿った概略的な断面図である。図３は、図１のＸ１部の拡大した斜視図である。図１では、内部が見えるように透視図でＲＦＩＤタグ１を示す。図３では、プロテクタ５０、保護層１２、及び外装部１４の図示は省略されている。
【００１１】
以下では、左右方向について、図１に示すように、基板１０の長辺の方向(長手方向)を左右方向として説明を行う。また、基板１０の短辺の方向(短手方向)を前後方向として説明を行う。また、上下方向について、図２に示すように、基板１０に対してＩＣチップ２０が設けられる側を上側と定義して説明を行う。但し、ＲＦＩＤタグ１の搭載の向きは任意である。
【００１２】
ＲＦＩＤタグ１は、例えば物品の管理等に利用できる。管理対象の物品は、任意であるが、例えば、宿泊施設や娯楽施設の従業員が使用する制服、宿泊施設で使用するシーツや枕カバー等がある。
【００１３】
ＲＦＩＤタグ１は、基板１０と、ＩＣチップ２０と、アンテナ配線３０と、接着層４０と、プロテクタ５０とを含む。尚、図１及び図２においては、接着層４０の図示は省略されている。
【００１４】
基板１０は、アンテナ配線３０用の基材であり、可撓性のある基板である。基板１０は、例えば、ＰＥＴ（ポリエチレンテレフタレート）やＰＥＮ（ポリエチレンナフタレート）により形成されてよい。基板１０は、図２に示すように、ＩＣチップ２０及びアンテナ配線３０が実装された状態で保護層１２で上下面が覆われ、更にプロテクタ５０及び外装部１４より保護される。保護層１２は、例えばラミネート加工により形成される。外装部１４は、例えばゴムのような可撓性のある材料により形成される。
【００１５】
ＩＣチップ２０は、基板１０に接着剤で接合される。即ち、ＩＣチップ２０は、基板１０に接着層４０（図２には図示されず、図３参照）を介して接合される。ＩＣチップ２０は、アンテナ配線３０で受け取られた電磁波により動作する。ＩＣチップ２０は、固有のID（Identification）情報が付与されており、かかるID情報が物品の管理等に利用される。
【００１６】
アンテナ配線３０は、例えばダイポールアンテナを形成する態様で形成される。アンテナ配線３０は、ＩＣチップ２０に電気的に接続される。アンテナ配線３０は、基板１０の表面（上側の表面）に導体パターンとして形成される。
【００１７】
接着層４０は、上述のように、ＩＣチップ２０を基板１０に接合する接着剤により形成される。接着剤は、任意であるが、例えば、異方導電性ペースト（ＡＣＰ：Anisotropic Conductive Paste）等が使用されてよい。接着層４０は、基板１０の表面（上側の表面）に形成される。尚、接着層４０は、基板１０の表面におけるアンテナ配線３０の存在領域では、アンテナ配線３０上に形成される。
【００１８】
接着層４０は、図３に示すように、フィレット部４２を含んでよい。フィレット部４２は、基板１０に塗布する接着剤の量を調整することで形成できる。以下では、フィレット部４２の外周縁を、「フィレット際」と称する。
【００１９】
プロテクタ５０は、ＩＣチップ２０の全体を覆って保護する機能を備える。プロテクタ５０は、例えば、ＰＥＴ、ＰＰＳ（ポリフェニレンスルファイド）、ＰＰ（ポリプロピレン）、ＰＥＮ等により形成されてよい。プロテクタ５０は、例えば厚み150〜300umのプラスチックフィルムの形態であってよい。プロテクタ５０の形状等については後述する。
【００２０】
プロテクタ５０は、ＩＣチップ２０を直接覆ってもよいし、図２に示すように、保護層１２を介して覆ってもよい。図２に示す例では、プロテクタ５０は、例えば接着剤（図示せず）により保護層１２上に接着される。
【００２１】
次に、図４乃至図６を参照して、プロテクタ５０の構成について説明する。
【００２２】
図４は、図１のＸ２部の拡大した上面図である。図３では、保護層１２及び外装部１４の図示は省略されている。
【００２３】
本実施例１では、プロテクタ５０は、左右方向に長い長方形の形態を有する。プロテクタ５０は、ＩＣチップ２０の外形よりも有意に大きい外形を有する。図４に示す例では、プロテクタ５０は、ＩＣチップ２０と共に接着層４０の全体を覆う。
【００２４】
図５は、プロテクタ５０の好ましい寸法の説明図であり、プロテクタ５０単体を模式的に示す斜視図である。図６は、等分布荷重が掛かっている状態のプロテクタ５０単体を模式的に示す側面図である。図６に示すように、図５に示す等分布荷重が掛かっている状態は、プロテクタ５０の中心には上方向の荷重（反力）Ｆがかかり、等分布荷重ｐと釣り合う。即ち、プロテクタ５０の中心が支点となる。
【００２５】
ここでは、図５に示すように、プロテクタ５０の中心にｘ、ｙ座標の中心を設定し、ｘ方向は、左右方向に対応し、ｘ方向の正の方向が右方向に対応する。また、ｙ方向は、前後方向に対応し、ｙ方向の正の方向が後方向に対応する。ここでは、図５に示すように、プロテクタ５０は、b×l×hのサイズであり（l＞ｂ）、圧力pの等分布荷重を受け、lに垂直な一点鎖線（ｘ＝０のライン）にかかる曲げ応力を考える。尚、ｂは、前後方向の幅、lは長さ（左右方向の長さ）、ｈは厚みである。
【００２６】
図５に示す例では、曲げモーメントが最大となるのはlの中央部（ｘ＝０のライン）であり、該中央部で応力も最大となる。ここで、Mを曲げモーメント、Zを、プロテクタ５０の断面係数とすると、発生する応力σ（σ=M/Z）は、以下のようにして求まる。微小幅dxの範囲での曲げモーメントは、ΔM=1/8・pl2Δyなので、プロテクタ５０の中央断面（ｘ＝０のラインに沿った断面）にかかる曲げモーメントは、
【００２７】
【数１】
0006531609.tif 000002
【００２８】
断面係数Ｚは、以下のとおりである。
【００２９】
【数２】
0006531609.tif 000003
【００３０】
これらの２式から、応力σは、以下のとおりである。
【００３１】
【数３】
0006531609.tif 000004
【００３２】
プロテクタ５０の中央部にかかる応力σが材料の曲げ強さσｂｙより小さければプロテクタ５０は折れ曲がらない。つまり、以下の関係式が成り立つように、プロテクタ５０のサイズを決定すれば、プロテクタ５０は、圧力pの等分布荷重を受ける環境下では、塑性変形して折れ曲がらない。
【００３３】
【数４】
0006531609.tif 000005
【００３４】
曲げ強さσｂｙは、材料によって決まる値である。例えば、プロテクタ５０の材料がPETであれば96〜131MPaの範囲から選択され、プロテクタ５０の材料がPPSであれば142MPaであってよく、プロテクタ５０の材料がPPであれば41〜55MPaの範囲から選択されてよい。
数４の式は、以下のように変形できる。数５の式からは、長さlが以下の関係式を満たす場合、プロテクタ５０は、圧力pの等分布荷重を受ける環境下では、塑性変形して折れ曲がらないことが分かる。
【００３５】
【数５】
0006531609.tif 000006
【００３６】
尚、数３から分かるように、応力σには、プロテクタ５０の幅ｂは影響しない。
【００３７】
従って、本実施例１では、プロテクタ５０は、ＲＦＩＤタグ１の使用環境下で受ける等分布荷重の値（例えば最大値や平均値等）を等分布荷重ｐとして用いて、数４又は数５の関係を満たす特性を有するように形成される。以下では、数５の関係式を満たす最大のlを「許容最大長さｌｍａｘ」と称する。
【００３８】
ここで、ＲＦＩＤタグ１の使用環境下で受ける等分布荷重の値は、ＲＦＩＤタグ１の使用環境に応じて異なる。本実施例１では、ＲＦＩＤタグ１の使用環境下で受ける等分布荷重の値は、４０〜７０ｂａｒ（４０×１０５〜７０×１０５Ｐａ）であり、より好ましくは、５０〜６０ｂａｒ（５０×１０５〜６０×１０５Ｐａ）である。このような値は、ＲＦＩＤタグ１が人の肌に触れる衣服や寝具などに使用され、大規模な洗濯工場で脱水工程等で受ける圧力の値に対応する。より具体的には、制服やシーツ、枕カバー等のような物品は、大規模な洗濯工場で一括で洗濯、脱水、アイロンがけ、折り畳みまで行われる。従って、かかる物品の管理にＲＦＩＤタグ１が利用される場合、ＲＦＩＤタグ１は、物品と共に洗濯工場で同じ洗濯工程の処理を受ける。この洗濯工程では、特に脱水工程（例えば圧力脱水）や、アイロンがけ工程（例えば大型ロールアイロンによるアイロンがけ）において、高い圧力が付与され、ＲＦＩＤタグ１にとって厳しい使用環境となる。
【００３９】
この点、本実施例１によれば、上述のように、プロテクタ５０は、数４又は数５の関係を満たす特性を有する。従って、本実施例１によれば、使用環境下でプロテクタ５０が塑性変形して曲がり難いＲＦＩＤタグ１を得ることができる。これにより、使用環境下でプロテクタ５０の保護機能（ＩＣチップ２０の保護機能）を維持できる。この結果、本実施例１によれば、ＲＦＩＤタグ１は、上述のような厳しい使用環境下においても高い耐久性を維持できる。
【００４０】
また、実施例１では、ＲＦＩＤタグ１は、基板１０、保護層１２及び外装部１４が可撓性を有するので、可撓性を有する。このような可撓性のあるＲＦＩＤタグ１は、人の肌に触れる衣服や寝具などに好適に使用できる。これは、可撓性があるが故に、ＲＦＩＤタグ１が、衣服等を身に着ける人にとって違和感となる可能性が低くなるためである。また、衣服や寝具などに取り付けられたＲＦＩＤタグ１は、以下で説明する洗濯工程において外部からの荷重により変形するため、この点からもＲＦＩＤタグ１の可撓性が必要とされる。
【００４１】
尚、本実施例１では、プロテクタ５０は、長手方向が基板１０の長手方向に対応する向きで設けられる。しかしながら、プロテクタ５０は、他の向きで基板１０に対して設けられてもよい。
【００４２】
［実施例２］
実施例２によるＲＦＩＤタグは、上述した実施例１によるＲＦＩＤタグ１に対して、プロテクタ５０がプロテクタ５０Ａで置換された点が異なる。他の構成は、同一であってよく、説明を省略する。
【００４３】
図７は、実施例２によるプロテクタ５０Ａを概略的に示す上面図であり、図１のＸ２部に対応する部分の図である。
【００４４】
プロテクタ５０Ａは、図７に示すように、上述した実施例１によるプロテクタ５０に対して、形状が異なるだけである。具体的には、プロテクタ５０Ａは、円形の形態を有する。プロテクタ５０Ａは、ＩＣチップ２０の外形よりも有意に大きい外形を有する。図７に示す例では、プロテクタ５０Ａは、ＩＣチップ２０と共に接着層４０の全体を覆う。
【００４５】
図８は、円形のプロテクタ５０Ａにかかるモーメントの説明図であり、プロテクタ５０Ａの上面図である。図８に示すように、ｙ方向の微小幅Δｙに発生するモーメントΔＭは、以下のとおりである。
【００４６】
【数６】
0006531609.tif 000007
【００４７】
従って、発生する最大応力は、円形の中心を通る断面で発生し、その値は、実施例１の場合と同様である。従って、プロテクタ５０Ａは、上述した実施例１によるプロテクタ５０と同様、プロテクタ５０Ａを含むＲＦＩＤタグの使用環境下で受ける等分布荷重の値を等分布荷重ｐとして用いて、数４又は数５の関係を満たす特性を有するように形成される。尚、プロテクタ５０Ａについても、長さlは、ｘ方向の長さ（直径の長さ）である。
【００４８】
実施例２によっても、上述した実施例１と同様の効果を得ることができる。
【００４９】
［実施例３］
実施例３によるＲＦＩＤタグは、上述した実施例１によるＲＦＩＤタグ１に対して、プロテクタ５０がプロテクタ５０Ｂで置換された点が異なる。他の構成は、同一であってよく、説明を省略する。
【００５０】
図９は、実施例３によるプロテクタ５０Ｂを概略的に示す上面図であり、図１のＸ２部に対応する部分の図である。
【００５１】
プロテクタ５０Ｂは、図９に示すように、上述した実施例１によるプロテクタ５０に対して、形状が異なるだけである。具体的には、プロテクタ５０Ｂは、正方形の形態を有する。プロテクタ５０Ｂは、ＩＣチップ２０の外形よりも有意に大きい外形を有する。図９に示す例では、プロテクタ５０Ｂは、ＩＣチップ２０と共に接着層４０の全体を覆う。
【００５２】
図１０は、正方形のプロテクタ５０Ｂにかかるモーメントの説明図であり、プロテクタ５０Ｂの上面図である。図１０に示すように、ｙ方向の微小幅Δｙに発生するモーメントΔＭは、以下のとおりである。
【００５３】
【数７】
0006531609.tif 000008
【００５４】
従って、発生する最大応力は、ｙ＝０（又はｘ＝０）のラインに沿った断面で発生し、その値は、実施例１の場合と同様である。従って、プロテクタ５０Ｂは、上述した実施例１によるプロテクタ５０と同様、プロテクタ５０Ｂを含むＲＦＩＤタグの使用環境下で受ける等分布荷重の値を等分布荷重ｐとして用いて、数４又は数５の関係を満たす特性を有するように形成される。尚、プロテクタ５０Ｂについても、長さlは、ｘ方向の長さである。
【００５５】
実施例３によっても、上述した実施例１と同様の効果を得ることができる。
【００５６】
［実施例４］
実施例４によるＲＦＩＤタグは、上述した実施例１によるＲＦＩＤタグ１に対して、プロテクタ５０がプロテクタ５０Ｃで置換された点が異なる。他の構成は、同一であってよく、説明を省略する。
【００５７】
図１１は、実施例４によるプロテクタ５０Ｃを概略的に示す上面図であり、図１のＸ２部に対応する部分の図である。
【００５８】
プロテクタ５０Ｃは、図１１に示すように、上述した実施例１によるプロテクタ５０に対して、形状が異なるだけである。具体的には、プロテクタ５０Ｃは、楕円形の形態を有する。プロテクタ５０Ｃは、ＩＣチップ２０の外形よりも有意に大きい外形を有する。図１１に示す例では、プロテクタ５０Ｃは、ＩＣチップ２０と共に接着層４０の全体を覆う。
【００５９】
図１２は、楕円形のプロテクタ５０Ｃにかかるモーメントの説明図であり、プロテクタ５０Ｃの上面図である。図１２に示すように、ｙ方向の微小幅Δｙに発生するモーメントΔＭは、以下のとおりである。
【００６０】
【数８】
0006531609.tif 000009
【００６１】
従って、発生する最大応力は、ｙ＝０で発生し、その値は、実施例１の場合と同様である。従って、プロテクタ５０Ｃは、上述した実施例１によるプロテクタ５０と同様、プロテクタ５０Ｃを含むＲＦＩＤタグの使用環境下で受ける等分布荷重の値を等分布荷重ｐとして用いて、数４又は数５の関係を満たす特性を有するように形成される。尚、プロテクタ５０Ｃについても、長さlは、長軸方向（ｘ方向）の長さである。
【００６２】
実施例４によっても、上述した実施例１と同様の効果を得ることができる。
【００６３】
尚、実施例４では、プロテクタ５０Ｃは、長軸方向が基板１０の長手方向に対応する向きで設けられる。しかしながら、プロテクタ５０Ｃは、他の向きで基板１０に対して設けられてもよい。
【００６４】
［実施例５］
実施例５によるＲＦＩＤタグは、上述した実施例１によるＲＦＩＤタグ１に対して、プロテクタ５０がプロテクタ５０Ｄで置換され、ＩＣチップ２０がＩＣチップ２０Ｄで置換された点が異なる。他の構成は、同一であってよく、説明を省略する。
【００６５】
図１３は、実施例５によるＩＣチップ２０Ｄ及びプロテクタ５０Ｄを概略的に示す上面図であり、図１のＸ２部に対応する部分の図である。
【００６６】
ＩＣチップ２０Ｄは、図１３に示すように、上述した実施例１によるＩＣチップ２０に対して、形状が異なるだけである。具体的には、ＩＣチップ２０Ｄは、長方形の形態を有する。ＩＣチップ２０Ｄは、長手方向が左右方向に対応する向きに配置される。但し、ＩＣチップ２０Ｄの向きは任意である。
【００６７】
プロテクタ５０Ｄは、図１３に示すように、上述した実施例１によるプロテクタ５０に対して、形状が異なるだけである。具体的には、プロテクタ５０Ｄは、楕円形の形態を有する。プロテクタ５０Ｄは、短軸方向が、ＩＣチップ２０Ｄの長手方向に対応する向きで設けられる。プロテクタ５０Ｄは、ＩＣチップ２０Ｄの外形よりも有意に大きい外形を有する。図１３に示す例では、プロテクタ５０Ｄは、ＩＣチップ２０Ｄと共に接着層４０の全体を覆う。
【００６８】
図１４は、楕円形のプロテクタ５０Ｄにかかるモーメントの説明図であり、プロテクタ５０Ｄの上面図である。図１４に示すように、ｙ方向の微小幅Δｙに発生するモーメントΔＭは、上記の数８と同じである。
従って、ｙ軸に沿ってプロテクタ５０Ｄを曲げようとする応力の値の最大値は、実施例１の場合と同様である。従って、プロテクタ５０Ｄは、上述した実施例１によるプロテクタ５０と同様、プロテクタ５０Ｄを含むＲＦＩＤタグの使用環境下で受ける等分布荷重の値を等分布荷重ｐとして用いて、数４又は数５の関係を満たす特性を有するように形成される。尚、プロテクタ５０Ｄについて、長さlは、短軸方向（ｘ方向）の長さである。
【００６９】
実施例５によっても、上述した実施例１と同様の効果を得ることができる。
【００７０】
ところで、一般的に、ＩＣチップ２０Ｄは、図１５に模式的に示すように、短手方向にクラックＣｒが入り易い。この点、実施例５によれば、上述のように、プロテクタ５０Ｄは、短軸方向が、ＩＣチップ２０Ｄの長手方向に対応する向きで設けられる。従って、実施例５によれば、ＩＣチップ２０Ｄの短手方向に沿ってプロテクタ５０Ｄが塑性変形して折れ曲がることが抑制されるので、同短手方向に沿ったＩＣチップ２０Ｄの曲げ応力が抑制され、ＩＣチップ２０Ｄの短手方向のクラックを抑制できる。
【００７１】
尚、上述した実施例５では、プロテクタ５０Ｄは、楕円形の形態であるが、長方形の形態であってもよい。この場合、プロテクタ５０Ｄは、同様の考え方に基づいて、短手方向が、ＩＣチップ２０Ｄの長手方向に対応する向きで設けられる。これにより、同様に、ＩＣチップ２０Ｄの短手方向のクラックを抑制できる。
【００７２】
［実施例６］
実施例６によるＲＦＩＤタグ１Ｅは、上述した実施例１によるＲＦＩＤタグ１に対して、プロテクタ５０がプロテクタ５０Ｅで置換され、且つ、下側プロテクタ５１が追加された点が異なる。他の構成は、同一であってよく、説明を省略する。
【００７３】
図１６は、ＲＦＩＤタグ１Ｅの概略的な断面図である。
【００７４】
下側プロテクタ５１は、図１６に示すように、プロテクタ５０Ｅと協動して上下方向でＩＣチップ２０を挟む態様で設けられる。下側プロテクタ５１は、プロテクタ５０Ｅに対して、各寸法（サイズ）及び材料は同じであってよい。即ち、下側プロテクタ５１は、単品としてはプロテクタ５０Ｅと同じであってよい。下側プロテクタ５１は、上下方向に視てプロテクタ５０Ｅに対して重なる位置及び向きで配置される。
【００７５】
プロテクタ５０Ｅは、上述した実施例１によるプロテクタ５０に対して、寸法の条件（長さlの条件）が異なる。具体的には、プロテクタ５０Ｅは、長さlが以下の関係式を満たす点が、数５に示した関係式を満たす上述した実施例１によるプロテクタ５０とは異なる。
【００７６】
【数９】
0006531609.tif 000010
【００７７】
これは、図１６に示すように、プロテクタ５０Ｅに加えて下側プロテクタ５１が設けられる場合、下側プロテクタ５１による断面係数の増加分だけ、プロテクタ５０Ｅに発生する曲げ応力（数３参照）が低減するためである。具体的には、下側プロテクタ５１の断面係数がプロテクタ５０Ｅの断面係数と同じであるとき、応力（数３参照）は半減する。このため、プロテクタ５０Ｅの長さlの取り得る最大値は、数９に示すように、プロテクタ５０の長さlの取り得る最大値よりも√２倍となる。
【００７８】
尚、上述した実施例６において、他の実施例２〜５、７〜１１によるプロテクタ５０Ａ〜５０Ｄ、５０Ｆ〜５０Ｊが数９に示した関係式を満たす場合は、上側のプロテクタ５０Ｅに代えて、数９に示した関係式を満たす当該プロテクタが用いられてもよい。この場合、下側プロテクタ５１は、それに対応して、上側のプロテクタの形状に対応した形状を有し、上下方向に視て上側のプロテクタに対して重なる位置及び向きで配置されてよい。尚、下側プロテクタ５１を用いる構成においては、数９の関係式を満たす最大のlが「許容最大長さｌｍａｘ」となる。
【００７９】
［実施例７］
実施例７によるＲＦＩＤタグは、上述した実施例１によるＲＦＩＤタグ１に対して、プロテクタ５０がプロテクタ５０Ｆで置換された点が異なる。他の構成は、同一であってよく、説明を省略する。
【００８０】
図１７は、実施例７によるプロテクタ５０Ｆを概略的に示す上面図であり、図１のＸ２部に対応する部分の図である。
【００８１】
プロテクタ５０Ｆは、図１７に示すように、中央部５０１と、端部５０２と、連結部５０３とを含む。中央部５０１は、ＩＣチップ２０の全体を覆う。また、中央部５０１は、好ましくは、ＩＣチップ２０と共に接着層４０の全体を覆う。図１７に示す例では、中央部５０１は、円形の形態を有する。中央部５０１は、アンテナ配線３０上に設けられる。アンテナ配線３０は、中央部５０１に対して、左側及び右側のそれぞれの側から中央部５０１の縁部を跨ぐ。即ち、アンテナ配線３０は、中央部５０１に対して、左側位置Ｐ１と右側位置Ｐ２とから中央部５０１の下方へと（ひいてはＩＣチップ２０の図示しないバンプへと）延在する。尚、左側位置Ｐ１と右側位置Ｐ２とを結ぶ方向は、左右方向であり、前後方向に対して垂直である。
【００８２】
プロテクタ５０Ｆは、前後方向が長手方向となる態様で、中央部５０１に対して端部５０２及び連結部５０３が設けられる。端部５０２は、中央部５０１に対して前後方向で離れる。端部５０２は、アンテナ配線３０とは接触しないように、形成される。即ち、アンテナ配線３０は、端部５０２の下方を通過しない。図１７に示す例では、端部５０２及び連結部５０３は、前後方向で中央部５０１の両側に設けられる。各連結部５０３は、対応する端部５０２と中央部５０１との間に設けられる。
【００８３】
プロテクタ５０Ｆの端部５０２は、左右方向の長さαが上述の許容最大長さｌｍａｘ以下になるように形成される。また、プロテクタ５０Ｆの端部５０２は、左右方向の長さαが中央部５０１の左右方向の長さβよりも大きくなるように形成される。即ち、プロテクタ５０Ｆの中央部５０１及び端部５０２は、β＜α≦ｌｍａｘとなるように形成される。
【００８４】
実施例７によっても、上述した実施例１と同様の効果を得ることができる。即ち、プロテクタ５０Ｆの中央部５０１は、直径の長さが上述の許容最大長さｌｍａｘ以下になるように形成されるので、塑性変形して折れ曲がることが抑制される。従って、使用環境下でプロテクタ５０Ｆの保護機能（ＩＣチップ２０の保護機能）を維持できる。この結果、本実施例７によれば、プロテクタ５０Ｆを含むＲＦＩＤタグは、上述のような厳しい使用環境下においても高い耐久性を維持できる。
【００８５】
また、実施例７によれば、プロテクタ５０Ｆの中央部５０１及び端部５０２は、左右方向の長さが上述の許容最大長さｌｍａｘ以下であるので、前後方向に沿ってプロテクタ５０Ｆを曲げようとするモーメントに対して、塑性変形して折れ曲がることが抑制される。従って、前後方向に沿ってプロテクタ５０Ｆを曲げようとするモーメントに対しては、基板１０は、プロテクタ５０Ｆの端部５０２の左右方向の縁部位置に沿ったライン（図１７のラインＢＴ参照、右側のラインのみ図示）に沿って曲がる。これにより、基板１０の曲げ変形時にアンテナ配線３０がプロテクタ５０Ｆの縁部に当たって破断してしまう可能性を低減できる。より具体的には、端部５０２が存在しない比較構成では、前後方向に沿ってプロテクタ５０Ｆを曲げようとするモーメントに対しては、基板１０は、プロテクタ５０Ｆの中央部５０１の左右方向の縁部位置に沿ったラインに沿って曲がる。かかる場合、基板１０の曲げ変形時にアンテナ配線３０がプロテクタ５０Ｆの中央部５０１の縁部に当たって破断してしまう可能性がある。この点、実施例７によれば、プロテクタ５０Ｆは、中央部５０１よりも左右方向の幅が大きい端部５０２を備えるので、基板１０の曲げ変形時にアンテナ配線３０がプロテクタ５０Ｆの縁部に当たって破断してしまう可能性を低減できる。
【００８６】
尚、図１７に示す例では、連結部５０３が設けられるが、端部５０２の左右方向の縁部がアンテナ配線３０に接触しない限り、連結部５０３は、省略されてもよい。また、図１７に示す例では、連結部５０３の左右方向の幅は、中央部５０１の同幅よりも小さいが、中央部５０１の同幅以上、且つ、許容最大長さｌｍａｘ以下の範囲内の任意の値であってもよい。
【００８７】
また、図１７に示す例では、左側位置Ｐ１と右側位置Ｐ２とを結ぶ方向は、アンテナ配線３０の延在方向に対応し、左右方向に平行であるが、これに限られない。例えば、左側位置Ｐ１と右側位置Ｐ２とを結ぶ方向は、端部５０２の左右方向の縁部がアンテナ配線３０に接触しない限り、左右方向に対して傾斜してもよい。
【００８８】
［実施例８］
実施例８によるＲＦＩＤタグは、上述した実施例１によるＲＦＩＤタグ１に対して、プロテクタ５０がプロテクタ５０Ｇで置換された点が異なる。他の構成は、同一であってよく、説明を省略する。
【００８９】
図１８は、実施例８によるプロテクタ５０Ｇを概略的に示す上面図であり、図１のＸ２部に対応する部分の図である。
【００９０】
プロテクタ５０Ｇは、上述の実施例７によるプロテクタ５０Ｆに対して、中央部５０１が中央部５０１Ｇで置換された点が異なる。中央部５０１Ｇは、上述の実施例７による中央部５０１に対して、形状が異なる。具体的には、中央部５０１Ｇは、矩形（正方形及び長方形を含む）の形態を有する。中央部５０１Ｇは、上述の実施例７による中央部５０１と同様の幅βを有する。
【００９１】
実施例８によっても、上述した実施例７と同様の効果を得ることができる。
【００９２】
［実施例９］
実施例９によるＲＦＩＤタグは、上述した実施例１によるＲＦＩＤタグ１に対して、プロテクタ５０がプロテクタ５０Ｈで置換され、且つ、アンテナ配線３０がアンテナ配線３０Ｈで置換された点が異なる。他の構成は、同一であってよく、説明を省略する。
【００９３】
図１９は、実施例９によるアンテナ配線３０Ｈ及びプロテクタ５０Ｈを概略的に示す上面図であり、図１のＸ２部に対応する部分の図である。プロテクタ５０Ｈは、上述の実施例７によるプロテクタ５０Ｆに対して寸法関係が異なるだけであり、各要素については、参照符号の末尾に付した“Ｆ”を“Ｈ”に変更して詳細な説明を省略する。
【００９４】
実施例９によるアンテナ配線３０Ｈは、図１９に示すように、ＩＣチップ２０側の端部において、ＩＣチップ２０に対して前後方向でオフセットした位置で、左右方向に延在する。図１９に示す例では、アンテナ配線３０Ｈは、ＩＣチップ２０側の端部において、プロテクタ５０Ｈの後側の連結部５０３Ｈを通る。即ち、プロテクタ５０Ｈの後側の連結部５０３Ｈは、アンテナ配線３０Ｈ上に設けられる。アンテナ配線３０Ｈは、後側の連結部５０３Ｈの下方の領域において、前方向に屈曲してＩＣチップ２０に電気的に接続されてもよい。或いは、アンテナ配線３０Ｈは、後述の共振回路を形成する配線であってもよい。
【００９５】
実施例９では、プロテクタ５０Ｈの端部５０２Ｈは、左右方向の長さαが上述の許容最大長さｌｍａｘ以下になるように形成される。また、プロテクタ５０Ｈの端部５０２Ｈは、左右方向の長さαが中央部５０１Ｈの左右方向の長さβよりも小さくなるように形成される。即ち、プロテクタ５０Ｈの中央部５０１Ｈ及び端部５０２Ｈは、α＜β≦ｌｍａｘとなるように形成される。
【００９６】
実施例９によっても、上述した実施例７と同様の効果を得ることができる。具体的には、プロテクタ５０Ｈの中央部５０１Ｈ及び端部５０２Ｈは、左右方向の長さが上述の許容最大長さｌｍａｘ以下であるので、前後方向に沿ってプロテクタ５０Ｈを曲げようとするモーメントに対して、塑性変形して折れ曲がることが抑制される。従って、前後方向に沿ってプロテクタ５０Ｈを曲げようとするモーメントに対しては、基板１０は、プロテクタ５０Ｈの端部５０２Ｈの左右方向の縁部と中央部５０１Ｈの左右方向の縁部とに沿ったライン（図１９のラインＢＴ１参照、左側のラインのみ図示）に沿って曲がる。これにより、基板１０の曲げ変形時にアンテナ配線３０がプロテクタ５０Ｈの連結部５０３Ｈの縁部に当たって破断してしまう可能性を低減できる。
【００９７】
［実施例１０］
実施例１０によるＲＦＩＤタグは、上述した実施例１によるＲＦＩＤタグ１に対して、プロテクタ５０がプロテクタ５０Ｉで置換され、且つ、アンテナ配線３０がアンテナ配線３０Ｈで置換された点が異なる。他の構成は、同一であってよく、説明を省略する。
【００９８】
図２０は、実施例１０によるアンテナ配線３０Ｈ及びプロテクタ５０Ｉを概略的に示す上面図であり、図１のＸ２部に対応する部分の図である。プロテクタ５０Ｉは、上述の実施例９によるプロテクタ５０Ｈに対して、端部５０２Ｈが端部５０２Ｉで置換された点が異なり、他の要素については、同一の参照符号を付して詳細な説明を省略する。
【００９９】
実施例１０によるアンテナ配線３０Ｈは、図２０に示すように、上述の実施例９において説明した通りである。
【０１００】
実施例１０では、プロテクタ５０Ｉの端部５０２Ｉは、左右方向の長さαが上述の許容最大長さｌｍａｘ以下になるように形成される。また、プロテクタ５０Ｉの端部５０２Ｉは、左右方向の長さαが中央部５０１Ｈの左右方向の長さβよりも小さくなるように形成される。即ち、プロテクタ５０Ｉの中央部５０１Ｈ及び端部５０２Ｉは、α＜β≦ｌｍａｘとなるように形成される。また、端部５０２Ｉは、左右方向の長さαが、連結部５０３Ｈの同長さと同じである。
【０１０１】
実施例１０によっても、上述した実施例９と同様の効果を得ることができる。即ち、プロテクタ５０Ｉの中央部５０１Ｈ及び端部５０２Ｉは、左右方向の長さが上述の許容最大長さｌｍａｘ以下であるので、前後方向に沿ってプロテクタ５０Ｉを曲げようとするモーメントに対して、塑性変形して折れ曲がることが抑制される。従って、前後方向に沿ってプロテクタ５０Ｉを曲げようとするモーメントに対しては、基板１０は、プロテクタ５０Ｉの端部５０２Ｉの左右方向の縁部と中央部５０１Ｈの左右方向の縁部とに沿ったライン（図２０のラインＢＴ２参照、左側のラインのみ図示）に沿って曲がる。これにより、基板１０の曲げ変形時にアンテナ配線３０がプロテクタ５０Ｉの連結部５０３Ｈの縁部に当たって破断してしまう可能性を低減できる。
【０１０２】
［実施例１１］
実施例１１によるＲＦＩＤタグ１Ｊは、上述した実施例１によるＲＦＩＤタグ１に対して、プロテクタ５０がプロテクタ５０Ｊで置換され、且つ、アンテナ配線３０がアンテナ配線３０Ｊで置換された点が異なる。他の構成は、同一であってよく、説明を省略する。プロテクタ５０Ｊは、上述の実施例７によるプロテクタ５０Ｆと実質的に同一であり、各要素については、同一の参照符号を付して説明を省略する。
【０１０３】
図２１は、実施例１１によるＲＦＩＤタグ１Ｊを概略的に示す上面図である。図２２は、図２１のＸ３部の拡大した上面図である。図２２では、保護層１２及び外装部１４の図示は省略されている。図２１及び図２２では、内部が見えるように透視図でＲＦＩＤタグ１Ｊを示す。
【０１０４】
アンテナ配線３０Ｊは、例えばダイポールアンテナを形成する態様で形成される。アンテナ配線３０Ｊは、ＩＣチップ２０に電気的に接続される。アンテナ配線３０Ｊは、基板１０の表面（上側の表面）に導体パターンとして形成される。アンテナ配線３０Ｊは、上述したアンテナ配線３０に対して、共振回路を形成する配線部３２が追加された点が実質的に異なる。具体的には、アンテナ配線３０Ｊは、左右方向に延在しダイポールアンテナを形成する配線部３１，３３と、共振回路を形成する配線部３２とを含む。
【０１０５】
配線部３２は、図２２に示すように、プロテクタ５０Ｊの後側の連結部５０３を通る。即ち、プロテクタ５０Ｊの後側の連結部５０３は、アンテナ配線３０Ｊの配線部３２上に設けられる。
【０１０６】
配線部３３は、プロテクタ５０Ｊの中央部５０１に対して、左側及び右側のそれぞれの側から中央部５０１の縁部を跨ぐ。即ち、アンテナ配線３０は、中央部５０１に対して、左側位置Ｐ１と右側位置Ｐ２とから中央部５０１の下方へと（ひいてはＩＣチップ２０の図示しないバンプへと）延在する。尚、左側位置Ｐ１と右側位置Ｐ２とを結ぶ方向は、左右方向であり、前後方向に対して垂直である。
【０１０７】
実施例１１によっても、上述した実施例７と同様の効果と、上述した実施例９と同様の効果とを得ることができる。具体的には、プロテクタ５０Ｊの中央部５０１及び端部５０２は、左右方向の長さが上述の許容最大長さｌｍａｘ以下であるので、前後方向に沿ってプロテクタ５０Ｊを曲げようとするモーメントに対して、塑性変形して折れ曲がることが抑制される。これにより、基板１０の曲げ変形時にアンテナ配線３０Ｊがプロテクタ５０Ｊの縁部（中央部５０１の縁部や後側の連結部５０３の縁部）に当たって破断してしまう可能性を低減できる。
【０１０８】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１０９】
例えば、上述した各実施例では、数５の関係式（又は数９の式）を満たすlの長さは、プロテクタ（例えばプロテクタ５０）の前後方向又は左右方向の長さであるが、lの長さは、プロテクタの対角線の長さや、プロテクタの任意の方向の最大長さであってもよい。例えば、上述した実施例３によるプロテクタ５０Ｂの場合、プロテクタ５０Ｂのプロテクタの対角線の長さをlとして、数５の関係式を満たすようにすると、プロテクタ５０Ｂの一辺の長さl２は、以下の関係式を満たすことになる。
【０１１０】
【数１０】
0006531609.tif 000011
【０１１１】
なお、以上の実施例に関し、さらに以下の付記を開示する。
（付記１）
基板と、
前記基板に接合されるチップと、
前記基板に形成され、前記チップに電気的に接続されるアンテナ配線と、
前記基板に設けられ、前記チップを覆って保護するプロテクタとを含み、
前記プロテクタは、材料の曲げ強度をσｂｙとし、厚さをｈとし、長さをlとし、使用環境下で受ける等分布荷重をｐとしたとき、以下の特性を有する、
l≦ｌｍａｘ（ｌｍａｘは数１１の式で規定）
、ＲＦＩＤタグ。
（付記２）
基板と、
前記基板の第１側に接合されるチップと、
前記基板に形成され、前記チップに電気的に接続されるアンテナ配線と、
前記基板の前記第１側に設けられ、前記チップを覆って保護するプロテクタと、
前記基板の、前記第１側とは逆側の第２側に設けられ、前記プロテクタに対向する第２プロテクタとを含み、
前記プロテクタは、材料の曲げ強度をσｂｙとし、厚さをｈとし、長さをlとし、使用環境下で受ける等分布荷重をｐとしたとき、以下の特性を有する、
l≦ｌｍａｘ（ｌｍａｘは数１２の式で規定）
、ＲＦＩＤタグ。
（付記３）
前記プロテクタの長さlは、前記基板の長手方向に沿った長さである、付記１又は２に記載のＲＦＩＤタグ。
（付記４）
前記プロテクタの長さlは、前記チップの長手方向に沿った長さである、付記１又は２に記載のＲＦＩＤタグ。
（付記５）
前記プロテクタは、長手方向と短手方向を有し、前記プロテクタの長さlは、前記プロテクタの短手方向に沿った長さである、付記４に記載のＲＦＩＤタグ。
（付記６）
前記プロテクタは、楕円、又は長方形であり、
前記プロテクタ及び前記チップは、それぞれの長手方向が直交する関係で配置される、付記４に記載のＲＦＩＤタグ。
（付記７）
前記プロテクタは、前記アンテナ配線上に設けられる第１部位と、前記第１部位に接続され、前記アンテナ配線から第１方向に離れた第２部位と、を含み、
前記プロテクタの長さlは、前記第１方向に垂直な第２方向に沿った前記第１部位の長さであり、
前記第２方向に沿った前記第２部位の長さは、前記第２方向に沿った前記第１部位の長さよりも長く、且つ、前記ｌｍａｘ以下である、付記１又は２に記載のＲＦＩＤタグ。
（付記８）
前記アンテナ配線は、前記第２方向のそれぞれの側から、前記第１部位の縁部を跨ぐ、付記７に記載のＲＦＩＤタグ。
（付記９）
前記第１方向は、前記プロテクタの長手方向である、付記８に記載のＲＦＩＤタグ。
（付記１０）
前記プロテクタは、前記第１部位及び前記第２部位を連結する連結部位を更に含み、
前記第１部位は、前記チップを覆い、
前記第２方向に沿った前記連結部位の長さは、前記第２方向に沿った前記第１部位の長さよりも小さい、付記７に記載のＲＦＩＤタグ。
（付記１１）
前記プロテクタは、前記チップを覆う第１部位と、前記第１部位に第１方向に連結され、前記アンテナ配線上に設けられる連結部位と、を含み、
前記プロテクタの長さlは、前記第１方向に垂直な第２方向に沿った前記第１部位の長さであり、
前記第２方向に沿った前記連結部位の長さは、前記第２方向に沿った前記第１部位の長さよりも小さい、付記１又は２に記載のＲＦＩＤタグ。
（付記１２）
前記プロテクタは、前記連結部位に前記第１方向に連結される第２部位を更に含む、付記１１に記載のＲＦＩＤタグ。
（付記１３）
前記第２プロテクタは、前記プロテクタと同一の断面係数を有する、付記２に記載のＲＦＩＤタグ。
（付記１４）
前記第２プロテクタは、前記プロテクタと同一の形状を有する、付記２に記載のＲＦＩＤタグ。
（付記１５）
前記等分布荷重ｐは、４０×１０５〜７０×１０５Ｐａの範囲である、付記１〜１４のうちのいずれか１項に記載のＲＦＩＤタグ。
（付記１６）
前記等分布荷重ｐは、５０×１０５〜６０×１０５Ｐａの範囲である、付記１〜１４のうちのいずれか１項に記載のＲＦＩＤタグ。
（付記１７）
前記第１部位は、円、正方形、楕円、又は長方形である、付記７〜１１のうちのいずれか１項に記載のＲＦＩＤタグ。
【符号の説明】
【０１１２】
１，１Ｅ，１Ｊ  ＲＦＩＤタグ
１０  基板
２０，２０Ｄ  ＩＣチップ
３０，３０Ｈ，３０Ｊ  アンテナ配線
４０  接着層
５０Ａ〜５０Ｊ  プロテクタ
５１  下側プロテクタ
５０１，５０１Ｇ，５０１Ｈ  中央部    
５０２，５０２Ｈ，５０２Ｉ  端部
５０３，５０３Ｇ  連結部      
【図１】
0006531609.tif 000016
【図２】
0006531609.tif 000017
【図３】
0006531609.tif 000018
【図４】
0006531609.tif 000019
【図５】
0006531609.tif 000020
【図６】
0006531609.tif 000021
【図７】
0006531609.tif 000022
【図８】
0006531609.tif 000023
【図９】
0006531609.tif 000024
【図１０】
0006531609.tif 000025
【図１１】
0006531609.tif 000026
【図１２】
0006531609.tif 000027
【図１３】
0006531609.tif 000028
【図１４】
0006531609.tif 000029
【図１５】
0006531609.tif 000030
【図１６】
0006531609.tif 000031
【図１７】
0006531609.tif 000032
【図１８】
0006531609.tif 000033
【図１９】
0006531609.tif 000034
【図２０】
0006531609.tif 000035
【図２１】
0006531609.tif 000036
【図２２】
0006531609.tif 000037